(57)【要約】【課題】ベースに設けた吸気孔と前記後部熱交換器との間に外気導入用のディフューザを容易に取り付けることにより空気調和機の運転と同時に室内空気の換気を行なえる外気導入装置を備えた空気調和機を提供する。【解決手段】据付板２に壁孔Ｃに対応する連通孔２ａを、ベース６の背面に前記連通孔２ａに対応する吸気孔６ａを夫々設け、前記連通孔２ａの周縁に、ダクト１４の一端に設けられたダクトフランジ１５を取り付けると共に、前記据付板２および前記ベース６の間にシール部材１６を、前記ダクト１４の他端にノズル１８を、同ノズル１８の開口部にフィルタ１９を夫々設け、前記吸気孔６ａと後部熱交換器１１との間に、一端に前記吸気孔６ａに接続される接続口２０を備え、他端に同接続口２０よりも大径で形成された連通口２１を備えると共に、同連通口２１に前記後部熱交換器１１を構成する伝熱管１１ａ  に係止する係止爪２２を一体成形したディフューザ２３を設けた。【選択図】  図１
2004270965.tif 000002
【特許請求の範囲】
【請求項１】
被空調室の壁面に固着された据付板の係止爪に係脱可能に係合される係合部を背面上部に備え、背面下部に接続配管を収容する収容部を備えたベースと、同ベースの前部に装着された吸込口と吹出口とを備えた前面パネルと、前記吸込口と前記吹出口とを結ぶ空気通路に設けられ、前部熱交換器と後部熱交換器とで逆Ｖ字状に形成された熱交換器と、送風ファンとからなる空気調和機において、
前記壁面に壁孔を、前記据付板に前記壁孔に対応する連通孔を、前記後部熱交換器の風上側となる前記ベースの背面に、前記連通孔に対応する吸気孔を夫々設け、前記連通孔の周縁に、前記壁孔を挿通してダクトの一端に接続される接続部を備えたダクトフランジを取り付けると共に、前記据付板および前記ベースの間に、前記連通孔および前記吸気孔を連通した状態でシールするシール部材を、前記ダクトの他端に開口面積を拡開させる拡開部を備えたノズルを、同ノズルの開口部に集塵用のフィルタを夫々設け、前記吸気孔と前記後部熱交換器との間に、一端に前記吸気孔に接続される接続口を備え、他端に同接続口よりも大径で形成された連通口を備えると共に、同連通口に前記後部熱交換器を構成する伝熱管に係止する係止爪を一体に形成したディフューザを設けてなることを特徴とする空気調和機。
【請求項２】
前記係止爪が、前記後部熱交換器を構成するフィン間に嵌挿されるようにしてなることを特徴とする請求項１に記載の空気調和機。
【請求項３】
前記係止爪が、前記連通口の両側部に一体に形成されてなることを特徴とする請求項１または請求項２に記載の空気調和機。
【請求項４】
前記係止爪が、前記連通口の上下部に一体に形成されてなることを特徴とする請求項１乃至請求項３の何れかに記載の空気調和機。
【請求項５】
前記吸気孔と前記接続口とが、前記ベースの背面側から装着される筒状の接続部材を介して接続されるようにしてなることを特徴とする請求項１に記載の空気調和機。
【請求項６】
前記接続部材が弾性を有する部材からなることを特徴とする請求項５に記載の空気調和機。
【請求項７】
前記ディフューザの背面およびこれに対向する前記ベースに、前記ディフューザの背面を固定する固定手段を設けてなることを特徴とする請求項１に記載の空気調和機。
【請求項８】
前記固定手段が、前記ディフューザの背面に設けられたねじ孔と、同ねじ孔に対応して前記ベースに設けられた挿通孔とからなり、同挿通孔を通したねじを前記ねじ孔に螺着して前記ディフューザの背面を固定するようにしてなることを特徴とする請求項７に記載の空気調和機。
【請求項９】
前記固定手段が、前記ディフューザと前記ベースとに架設される固定具からなることを特徴とする請求項７に記載の空気調和機。
【請求項１０】
前記ディフューザの接続口が、前記ダクトに嵌合され、先細状に形成された筒状の接続フランジからなることを特徴とする請求項１に記載の空気調和機。
【発明の詳細な説明】
【０００１】
【発明の属する技術分野】
本発明は、空気調和機に係わり、より詳細には、ベースに設けた吸気孔と後部熱交換器との間に外気導入用のディフューザを容易に取り付けることにより空気調和機の運転と同時に室内空気の換気を行なえる外気導入装置を備えた構造に関する。
【０００２】
【従来の技術】
従来の外気導入装置を備えた空気調和機には、作業性が良好なダクトの取付構造によって熱交換器の風上側に外気を導入できるものとして、被空調室の壁面に壁孔を設け、据付板に前記壁孔に対応する連通孔を設け、後部熱交換器の風上側となるベースの背面に、前記連通孔に対応する吸気孔を設け、ねじ孔を備えた前記連通孔の周縁に、前記壁孔を挿通してダクトの一端に接続される接続部を備えたダクトフランジを取り付けると共に、前記据付板および前記ベースの間に、前記連通孔および前記吸気孔を連通した状態でシールするシール部材を介装したものがあった（例えば、特許文献１参照。）。
【０００３】
しかしながら、上記構成でなる空気調和機は、外気を導入するダクトの開口端にフィルタを直付けしており、また、外気を導入するに当って送風ファンの負圧を利用した構成であることから、前記フィルタの抵抗により空気抵抗が増して外気の吸込量に影響を与えてしまったり、また、送風ファンの負圧を利用しているため外気の吸込量が減少してしまう恐れがあった。
【０００４】
また、外気の吸込量を減少させないようにすると共に、前記ベースの吸気孔と前記後部熱交換器との間に、通風性能を高めるためのディフューザを容易に、且つ正確に取り付けることができる外気導入装置を備えた空気調和機の出現が望まれていた。
【０００５】
【特許文献１】
特開２００３−２１３５８号公報（第３頁、第４図）
【０００６】
【発明が解決しようとする課題】
本発明においては、上記の問題点に鑑み、ベースに設けた吸気孔と後部熱交換器との間に外気導入用のディフューザを容易に取り付けることにより空気調和機の運転と同時に室内空気の換気を行なえる外気導入装置を備えた空気調和機を提供することを目的とする。
【０００７】
【課題を解決するための手段】
本発明は、上記課題を解決するため、被空調室の壁面に固着された据付板の係止爪に係脱可能に係合される係合部を背面上部に備え、背面下部に接続配管を収容する収容部を備えたベースと、同ベースの前部に装着された吸込口と吹出口とを備えた前面パネルと、前記吸込口と前記吹出口とを結ぶ空気通路に設けられ、前部熱交換器と後部熱交換器とで逆Ｖ字状に形成された熱交換器と、送風ファンとからなる空気調和機において、
前記壁面に壁孔を、前記据付板に前記壁孔に対応する連通孔を、前記後部熱交換器の風上側となる前記ベースの背面に、前記連通孔に対応する吸気孔を夫々設け、前記連通孔の周縁に、前記壁孔を挿通してダクトの一端に接続される接続部を備えたダクトフランジを取り付けると共に、前記据付板および前記ベースの間に、前記連通孔および前記吸気孔を連通した状態でシールするシール部材を、前記ダクトの他端に開口面積を拡開させる拡開部を備えたノズルを、同ノズルの開口部に集塵用のフィルタを夫々設け、前記吸気孔と前記後部熱交換器との間に、一端に前記吸気孔に接続される接続口を備え、他端に同接続口よりも大径で形成された連通口を備えると共に、同連通口に前記後部熱交換器を構成する伝熱管に係止する係止爪を一体に形成したディフューザを設けてなる構成となっている。
【０００８】
また、前記係止爪が、前記後部熱交換器を構成するフィン間に嵌挿されるようにしてなる構成となっている。
【０００９】
また、前記係止爪が、前記連通口の両側部に一体に形成されてなる構成となっている。
【００１０】
また、前記係止爪が、前記連通口の上下部に一体に形成されてなる構成となっている。
【００１１】
また、前記吸気孔と前記接続口とが、前記ベースの背面側から装着される筒状の接続部材を介して接続されるようにしてなる構成となっている。
【００１２】
また、前記接続部材が弾性を有する部材からなる構成となっている。
【００１３】
また、前記ディフューザの背面およびこれに対向する前記ベースに、前記ディフューザの背面を固定する固定手段を設けてなる構成となっている。
【００１４】
また、前記固定手段が、前記ディフューザの背面に設けられたねじ孔と、同ねじ孔に対応して前記ベースに設けられた挿通孔とからなり、同挿通孔を通したねじを前記ねじ孔に螺着して前記ディフューザの背面を固定するようにしてなる構成となっている。
【００１５】
また、前記固定手段が、前記ディフューザと前記ベースとに架設される固定具からなる構成となっている。
【００１６】
更に、前記ディフューザの接続口が、前記ダクトに嵌合され、先細状に形成された筒状の接続フランジからなる構成となっている。
【００１７】
【発明の実施の形態】
以下、本発明の実施の形態を図面に基づいた実施例として詳細に説明する。
図１は本発明による空気調和機の説明図で、（Ａ）は断面図、（Ｂ）は要部断面図であり、図２は本発明による空気調和機の要部説明図で、（Ａ）は斜視図、（Ｂ）は要部斜視図であり、図３は本発明による空気調和機の要部説明図で、（Ａ）はベースの吸気孔とディフューザの接続口とが接続部材を介して接続される状態を示す断面図、（Ｂ）および（Ｃ）はディフューザの背面がねじ締め固定される状態を示す断面図であり、図４は本発明による空気調和機の要部断面図で、（Ａ）はディフューザを上方から組み付ける状態を示し、（Ｂ）はディフューザを固定具でベースに固定した状態を示す。
【００１８】
本発明による空気調和機は、図で示すように、被空調室の壁面Ｂにねじ締めされることによって固着され、上端部に断面略Ｌ字状の係止爪１を備えた据付板２により本体Ａが据付設置されるようになっている。
【００１９】
前記本体Ａは、背面上部に前記据付板２の係止爪１に係脱可能に係止される係止部３を備え、背面下部には接続配管４を収容する収容部５を備えたベース６と、同ベース６の前部に装着され、上部に吸込口７を備え下部に吹出口８を備えた前面パネル９と、前記吸込口７と前記吹出口８とを結ぶ空気通路に設けられ、前部熱交換器１０と後部熱交換器１１とで逆Ｖ字状に形成された熱交換器１２と、送風ファン１３とからなる構成になっている。
【００２０】
そして、前記壁面Ｂには壁孔Ｃが設けられ、前記据付板２には前記壁孔Ｃに対応する連通孔２ａが設けられ、前記後部熱交換器１１の風上側となる前記ベース６の背面には、前記連通孔２ａに対応する吸気孔６ａが設けられ、ねじ孔を備えた前記連通孔２ａの周縁には、前記壁孔Ｃを挿通してダクト１４の一端に接続される接続部を備えたダクトフランジ１５がねじ締めされることによって取り付けられている。
【００２１】
同時に、前記据付板２および前記ベース６の間には、前記連通孔２ａおよび前記吸気孔６ａを連通した状態でシールするシール部材１６が介装されるように構成されている。
【００２２】
また、前記ダクト１４の他端には、開口面積を拡開させる拡開部１７を備えたノズル１８が設けられ、同ノズル１８の開口部には集塵用のフィルタ１９が設けられ、前記吸気孔６ａと前記後部熱交換器１１との間には、一端に前記吸気孔６ａに接続される接続口２０を備え、他端に同接続口２０よりも大径で形成された連通口２１を備えると共に、同連通口２１には前記後部熱交換器１１の伝熱管１１ａ  に係止する係止爪２２を一体に形成したディフューザ２３が設けられた構成になっている。
【００２３】
前記係止爪２２は、図１（Ａ）および図１（Ｂ）と、図２（Ａ）とで示すように、前記後部熱交換器１１に対し前記ディフューザ２３を上方から組み付けて前記伝熱管１１ａ  に係止されるように形成されているので、前記ベースに設けた吸気孔６ａと前記後部熱交換器１１との間に、外気導入用の前記ディフューザ２３を容易に、且つ正確に取り付けることができるようになっている。
【００２４】
これにより、前記ノズル１８から外気を導入する際、同ノズル１８の開口部に前記フィルタ１９が設けられていても、同ノズル１８は前記拡開部１７を備えることにより開口面積が拡開されていることから、外気の吸込量を減少させないよう効果的に導入できるようになると共に、前記ダクト１４を経て導き入れた外気を前記ディフューザ２３から前記後部熱交換器１１へ効率よく流通させることができるようになっている。
【００２５】
また、前記ノズル１８が前記拡開部１７を備えることによって開口面積が拡開されたことにより、該箇所に図示しない補助ファンを取り付けやすくした構造になっているので、前記送風ファン１３による外気導入のための負圧が不足している場合には補助ファンを容易に取付できるので便利である。
【００２６】
以上の構成により、次にその動作について説明する。
前記ディフューザ２３は、図１（Ａ）および図１（Ｂ）で示すように、前記後部熱交換器１１に対しその上方から組み付けられる際、前記係止爪２２が前記伝熱管１１ａ  に係止されることによって、前記後部熱交換器１１に先端部を隙間なく当接させた状態で容易に、且つ正確に接合される。
【００２７】
これにより、前記ノズル１８から導入された外気が、前記連通孔２ａおよび前記吸気孔６ａを通した前記ダクト１４を経て前記ディフューザ２３に導かれたのち、前記後部熱交換器１１に効率よく送出されて熱交換されることになる。
【００２８】
その際、図２（Ｂ）で示す矢印のように、前記係止爪２２が前記後部熱交換器１１を構成するフィン１１ｂ  間に嵌挿されるように形成されているので、前記ディフューザ２３が前記後部熱交換器１１に対し左右方向に位置ずれすることなく強固に接合される。
【００２９】
また、前記係止爪２２は、前記ディフューザ２３の連通口２１の両側部に一体に形成されることによって、前記ディフューザ２３を前記後部熱交換器１１に強固に接合できるよう前記伝熱管１１ａ  に正確に係止される。
【００３０】
更に、前記係止爪２２が、前記連通口２１の上下部に一体に形成されることによって、図１（Ａ）および図１（Ｂ）で示すように、前記ディフューザ２３の姿勢を安定させた状態で前記後部熱交換器１１に隙間なく接合できる。
【００３１】
なお、前記ディフューザ２３を前記ダクト１４に接続する際、図１（Ａ）および図１（Ｂ）と、図３（Ａ）とで示すように、前記吸気孔６ａと前記接続口２０とが、前記ベース６の背面側から装着される弾性を有する筒状の接続部材２４を介して接続されるようにすることで、互いの位置合わせをするのに苦労することなく容易に接続作業を行なえるようになり、また同時に、前記接続部材２４によって前記ディフューザ２３の背面側を効果的に支持できることになる。
【００３２】
次に、前記ディフューザ２３の背面およびこれに対向する前記ベース６に、前記ディフューザ２３の背面を固定するための固定手段を設けた場合について説明する。
【００３３】
前記ディフューザ２３の背面側を前記ベース６に固定するための固定手段が、図３（Ｂ）および図３（Ｃ）で示すように、前記ディフューザ２３の背面に設けられたねじ孔と、同ねじ孔に対応して前記ベース６に設けられた挿通孔を有するボス部２５とからなり、同ボス部２５の挿通孔を通したねじ２６を前記ねじ孔に螺着して前記ディフューザ２３の背面側を強固に固定できることになる。
【００３４】
または、前記固定手段を、図４（Ａ）および図３（Ｂ）で示すように、前記ディフューザ２３と前記ベース６とに架設される断面Ｌ字状の固定具２７からなる構成にして、前記ディフューザ２３の背面側を固定できるようにしてもよい。
【００３５】
なお、前記ディフューザ２３の接続口２０は、図１（Ｂ）で示すように、前記ダクト１４に嵌合される先細状に形成された筒状の接続フランジからなる構成にすることによって、嵌合のための作業性が容易になりと共に、正確に嵌合できるようになる。
【００３６】
【発明の効果】
以上説明したように、本発明によれば、ベースに設けた吸気孔と後部熱交換器との間に外気導入用のディフューザを容易に取り付けることにより空気調和機の運転と同時に室内空気の換気を行なえる外気導入装置を備えた空気調和機となる。
【図面の簡単な説明】
【図１】本発明による空気調和機の説明図で、（Ａ）は断面図であり、（Ｂ）は要部断面図である。
【図２】本発明による空気調和機の要部説明図で、（Ａ）は斜視図であり、（Ｂ）は要部斜視図である。
【図３】本発明による空気調和機の要部説明図で、（Ａ）はベースの吸気孔とディフューザの接続口とが接続部材を介して接続される状態を示す断面図であり、（Ｂ）および（Ｃ）はディフューザの背面がねじ締め固定される状態を示す断面図である。
【図４】本発明による空気調和機の要部断面図で、（Ａ）はディフューザを上方から組み付ける状態を示し、（Ｂ）はディフューザを固定具でベースに固定した状態を示す。
【符号の説明】
１  係止爪
２  据付板
２ａ  連通孔
３  係止部
４  接続配管
５  収容部
６  ベース
６ａ  吸気孔
７  吸込口
８  吹出口
９  前面パネル
１０  前部熱交換器
１１  後部熱交換器
１１ａ  伝熱管
１１ｂ  フィン
１２  熱交換器
１３  送風ファン
１４  ダクト
１５  ダクトフランジ
１６  シール部材
１７  拡開部
１８  ノズル
１９  フィルタ
２０  接続口
２１  連通口
２２  係止爪
２３  ディフューザ
２４  接続部材
２５  ボス部
２６  ねじ
２７  固定具
Ａ  本体
Ｂ  壁面
Ｃ  壁孔
【図１】
2004270965.tif 000003
【図２】
2004270965.tif 000004
【図３】
2004270965.tif 000005
【図４】
2004270965.tif 000006